(57)【要約】【解決手段】深部静脈トロンボシスとして知られている症状になることを防ぐ装置であって、この装置は、一対の特別に構成されたすね当て（４）を備え、これは、ベルト（１）に取り付けられているか、又は、後付けされる電源と共に装着されるものである；電源（２）は、離れて配置されてすね当てを動作でき、該すね当ては、両脚部の下位部を所定の間隔でマッサージし、深部静脈トロンボシスとして一般に知られている脚部における静脈潅流系の動脈と静脈における血液の凝固がおきないようにするものである。【選択図】図１
2007502177.tif 000002
【特許請求の範囲】
【請求項１】
この特許出願に記載されたハーネスを着用することで、この特許出願内に規定されるハーネスの作用は、このハーネスにより発生される交互に、かつ、反復されるリズムをもつシーケンシャルな移動波圧力が脚部の下位領域、即ち、足関節と膝の間に作用し、足関節と膝の間の脚部の下位領域にある静脈潅流系の動脈と静脈内の血流の流れ速度が低下し、血栓凝集が前記静脈潅流系の動脈と静脈内に生じて、深部静脈トロンボシスと一般に言われている急性の病状にいたるような危険レベルにならないようにするものである。
【発明の詳細な説明】
【技術分野】
【０００１】
本発明は、深部静脈血栓の発症を減らすことに関するものである。即ち、飛行機に長時間にわたり着座していたり、手術後に術後治療の間車椅子やベッドで快方に向かいつついる間又は長期入院などの長い間体を動かさないことで人間の下肢の静脈と動脈に血の塊が生じる。
【０００２】
身体がまっすぐ座った状態で長い時間身体を動かさないと、下半身、即ち下肢部領域と大腿部領域における血液循環が低下し、その人の血圧が低下してしまい、脚部の静脈潅流システム内の静脈と動脈が静脈潅流システムをクリーンな状態に適切に保ち続けることができなくなってしまうようになってしまう。
【０００３】
その結果、静脈潅流システムに血液がたまり凝結して血栓をつくってしまう。これら血栓は、血栓クロット又は血栓プラグといわれ、これらは身体の他の部分へ移動し、ついには生命を脅かすようになったり、死に至らしめるようになるおそれがある。
【０００４】
血栓クロットの発生を防ぐに必要な動作は、系にそっての突然の、そして、リズムをもつ連続する圧力波を足関節から始まり、膝迄に達する足関節と膝頭の間の下肢領域に作用させることである。この圧力波作用の結果、血液は、静脈潅流系をさかのぼり、膝を通って股間部に達し、ここで胴部の心臓血管系が再び血流に簡単に適合することで静脈潅流系を空にする。この作用は、人が動いているときには、下肢のふくらはぎ筋の作用の一部と似ている。このふくらはぎ筋は、人が立っていたり、歩いていたり、あるいは、直立状態で動作しているとき、出静脈潅流系に圧力を与え、下肢の血液循環を助けるようにする。
【０００５】
この発明の理解を助けるために、添付の図面を参照するもので、この参照例は、動ける状態で使用の操作者が腰ベルトに取り付けた電源をもつ、この発明の９ポータブル式の例を示す。
【０００６】
図１は、操作者が身に付けることができる完成品を示す。この完成品は、腰ベルトとバックル１を示している。電源は、腰ベルト１に取り付けられた電源ハウジング２に納められている。空気供給ライン３が電源と左右の脚部スリーブ４とにつながっている。スリーブ締め付けストラップ５を用いて前記スリーブを使用者の脚部の形状に合わせる。
【０００７】
図２は、電源ハウジング・アッセンブリーを示し、これには、前記ハウジング内に必要な部品類が納めてある。スタート／ストップ制御スイッチ６で電源を望に応じて動作させる。直流電源パック７によりユニットに給電される。プリント回路制御ボード８が前記ユニットの必要な機能をコントロールする。小型コンプレッサは、９。空気供給ラインは、１０。二つの制御ソレノイドバルブ１１が左右の空気供給プラグ・アウトレット１２に接続している。
【０００８】
図３は、圧縮スリーブ４の図示のようにふくらんだ部分１３の断面を示し、このようにふくらんだとき、圧縮スリーブ４は、実際に圧縮するようになっている。空気供給ライン３が空気供給アウトレット１２から圧縮空気を、連結ボタン１５を介して圧縮スリーブ１３へ供給するもので、前記ボタンは、圧縮スリーブに取り付けられている。圧縮スリーブ１３が膨らむ方向は、矢印１６で示されている。
【０００９】
図４は、完全に空気が抜けた膨張部の断面を示す一方の脚部スリーブ４の断面を示す。
【００１０】
図５は、図４と同様の断面を示しているが、膨張部は、わずかに膨らんでいる。
【００１１】
図６は、一部が膨らんだ膨張部の断面を示す。この膨張部は、複数のセグメントで作られていて、各セグメントは、複数の圧力チューブで互いに接続されている。これらのチューブで膨張作用がコントロールされ、最下位又は第１のセグメント１３−Ａが加圧されると、ついで次のセグメントが加圧されるようになっている。加圧ポイント“Ａ”における膨らみ出した位置においては、その圧力は圧力ポイント“Ｂ”で示すセグメント１３−Ｂの圧力よりも高く、ついで順に圧力ポイント“Ｃ”で示すセグメント１３−Ｃの圧力よりも高いものになる。この作用は、膨張部を下から順に連続して加圧するようにする。
【００１２】
圧縮スリーブ４は、外側になるフレキシブルなケーシングのもので、人の脚部のふくらはぎにぴったり合うようになっていて、長時間にわたり楽に横着できるものである。装着者の装着感をよくするためには、スリーブ４の正面に取り付けた複数の調節ストラップ５を調節して、装着する人に合うようにする。図４に示すように、圧縮スリーブ４には、フレキシブルな膨張体１３が内蔵されていて、これは。矢印１６で示すように内方へ膨らむようになっている。フレキシブルな膨張体１３は、また、圧縮スリーブ４の最下位の部分から順に膨らむようになっている。フレキシブルな膨張体１３は、空気供給ライン３を介して小形の空気コンプレッサ９によりプリント回路制御ボード８で制御されるソレノイドバルブ１１を介して膨張される。
【００１３】
前記装置を装着して使用する際の作用を以下に記載する。
【００１４】
深部静脈を鼓動する脛当て装置は、人が動いたり、立っている状態におけるふくらはぎ筋の作用の一部に似ている。この作用は、心臓血管系を補助して、静脈及び動脈循環系のリズミカルな送り出しが続くようにし、血栓が作られ、さらにトロンボクロットと言われる大きな血の塊を作ってしまう酸素量が少ない血液がたまらないようにする。
【００１５】
さて深部静脈鼓動装置を図１に示すように態様で装着すれば、前記装置を使用できるようになる。
【００１６】
前記ユニットを操作するには、腰ベルト１に連結の電源２に配置のスタートボタン６を押す。この動作で、直流電源７から回路の一部にタイマーが組み込まれているプリント回路制御ボード８へ電流をながれることで前記ユニットがパワーアップする。ついで前記タイマーが小形エアーコンプレッサ９を駆動し、空気ライン３を介して脚部スリーブアッセンブリー４を所定の圧力もつように膨張させるもので、前記圧力は、前記プリント回路ボード８に組み込まれた小形空気圧力調整器により制御される。またプリント回路ボード８により制御される間隔をおいて、二つのソレノイドバルブ１１が作動し、脚部スリーブアッセンブリー４内の空気を外部へ逃がして脚部スリーブ４内の圧力をなくす。この動作を装着者が必要とする時間にわたって反復させる。
【００１７】
図６は、脚部スリーブアッセンブリー４の一部として３つのセクションのみをもち、圧縮サイクルが開始しされた直後の膨張部セクション１３の断面を示す。膨張部の実施の数は、各個人に必要な脚部アッッセンブリーのサイズによる。この図解は、脚部スリーブアッセンブリーが加圧されるとき、膨張部１３が下のセクションから段階をおって膨らみ出す点を明確に示す。図６の膨張部１３−Ａの第１のセクションは、所望の最高圧に加圧し、ついで次のセグメント、即ち、セグメント１３−Ｃを所望の最高圧に加圧し、ついで最終のセグメント、即ち、セグメント１３−Ｃを一杯に加圧する。ついで、セグメントの全部が一杯に加圧されて動きが連続的になるようになるまで、この動作を繰り返す。
【００１８】
前記複数のスリーブは、図３と図６に示すように、下肢の表面領域に作用する内方への圧力を与えるもので、ふくらはぎ領域それ自体を完全にカバーして筋肉及び組織領域を経て脚部の中心に向かって圧力が作用する。
【００１９】
前記プリント回路ボード８により制御されるタイマーで脚部アッセンブリー全部が一杯に加圧されると、ソレノイドバルブ１２が駆動されて脚部アッセンブリー４内の空気圧力が開放され、これで脚部に対する圧力が通常の圧力へ再び減るようになる。
【００２０】
この動作で脚部領域、即ち、足関節と膝との間の脚部領域に所望の効果が与えられるもので、これは、足関節から始まって脚部筋と組織マス内を遡り、移動する圧力波として静脈潅流静脈及び動脈の不随意圧力になり、これによって、静脈潅流系にある血液を脚部の上方、即ち、膝上の部分へ押し上げ、股間へ到達させ、胴部それ自体の心臓血管系に適合させるようにする。
【００２１】
この作用は、左右の脚部へコンスタントにリズム運動で繰り返されるか、又は、連続運動し、一般に深部静脈トロンボシスとして知られている病状になるのを防ぐ。
【図面の簡単な説明】
【００２２】
【図１】使用するために装着する状態のすべての部品の斜視図。
【図２】電源ハウジングと取り付けられた関連部品のフローチャート
【図３】スリーブが膨張した状態の圧縮スリーブの断面図で、前記スリーブの内側壁が中央に向けて膨らみ、下肢の筋肉領域を加圧している状態のもの。
【図４】パルスシーケンスの間の不動作状態において完全に萎んだ膨張部をもつ前記スリーブの断面を示すもの。
【図５】鼓動連続作動における膨張した膨張部をもつスリーブの断面を示すもの。
【図６】半ばふくらんだスリーブの膨張部の断面を示すもの。
【符号の説明】
【００２３】
１    腰ベルト
２    電源ハウジング
３    空気供給ライン
４    左右の脚部スリーブ
５    スリーブ締め付けストラップ
【図１】
2007502177.tif 000003
【図２】
2007502177.tif 000004
【図３】
2007502177.tif 000005
【図４】
2007502177.tif 000006
【図５】
2007502177.tif 000007
【図６】
2007502177.tif 000008
【手続補正書】
【提出日】平成18年4月21日(2006.4.21)
【手続補正１】
【補正対象書類名】特許請求の範囲
【補正対象項目名】全文
【補正方法】変更
【補正の内容】
【特許請求の範囲】
【請求項１】
深部静脈血栓症を防ぐ装置であって、前記装置は、以下の構成を備える：
装着者の下肢まわりに実質的に配置されるようになっている少なくとも一つのスリーブであり、各スリーブは、前記装着者の前記下肢を実質的に包む膨張部を備え、前記膨張部セクションは、複数の膨張するチャンバに分かれていて、該チャンバは、同軸になっていて連続したチャンバを形成し、前記膨張可能なチャンバは、互いに流体が流通し合い、前記チャンバのいずれか一つのものにおける流体は、流体圧力が所定の値に達すると、前記連続のチャンバにおける次のチャンバへ流れるようになっている構成；及び
各スリーブにおける前記連続のチャンバにおける第１の膨張可能なチャンバと流体連通し、前記スリーブの前記チャンバを周期的に膨らせたり、萎ませたりする空気圧源。
【請求項２】
各スリーブは、さらに非弾性のアウターケーシングを備え、これによって、内方へ向け膨張している間前記チャンバの膨らみを制限するようになっている請求項１による装置。
【請求項３】
前記空気圧源が以下を備える請求項１又は請求項２による装置：
空気圧を供給するコンプレッサ；及び
前記空気圧を前記少なくとも一つのスリーブへ制御状態で送る少なくとも一つのソレノイド。
【請求項４】
各スリーブは、さらに、前記装着者の前記下肢の形状に合うように前記スリーブを調節する締め付けストラップを備えている請求項１から請求項３のいずれか一つによる装置。
【請求項５】
前記空気圧源が携帯できるものである請求項１から請求項４のいずれか一つによる装置。
【請求項６】
深部静脈血栓症を防ぐ方法であって、前記方法は、以下の工程からなるもの：  装着者の下肢まわりに実質的に配置されるようになっているスリーブを付与し、前記スリーブは、同軸になって連続した複数のチャンバを形成する複数の膨張安可能なチャンバに分かれた膨張部を備えており；
前記装着者の前記下肢の下端に位置する第１のチャンバを膨張させ；
前記膨張部の全てのチャンバが膨らむまで連続して順次チャンバを膨張させ、これによって、空気圧源を前記下肢に供給し、実質的に連続して前記下端から前記脚部の端部へ向け膨らむようにし；そして
前記チャンバを萎ませる工程。
【請求項７】
添付の図面を参照し、ここに実質的に記載の深部静脈血栓症を防ぐ装置。
【手続補正２】
【補正対象書類名】明細書
【補正対象項目名】全文
【補正方法】変更
【補正の内容】
【発明の詳細な説明】
【技術分野】
【０００１】
この発明は、深部静脈血栓の発症を減らすことに関するものである。即ち、飛行機に長時間にわたり着座していたり、手術後に術後治療の間車椅子やベッドで快方に向かいつついる間又は長期入院などの長い間体を動かさないことで人間の下肢の静脈と動脈に血の塊が生じる。
【０００２】
長い時間身体を動かさないと、血圧が徐々に低下し、胴部をまっすぐしたままにしておくと、下半身、即ち下肢部領域と大腿部領域における血液循環が低下し、その人の血圧が低下してしまい、静脈潅流システム内の静脈と動脈をクリアーにして静脈潅流系を自由に保つほどには適当でない圧力になってしまうようになる。
【０００３】
その結果、静脈潅流システムに血液がたまり凝結して血栓をつくってしまう。これら血栓は、血栓クロット又は血栓プラグといわれ、これらは身体の他の部分へ移動し、ついには生命を脅かすようになったり、死に至らしめるようになるおそれがある。
【０００４】
血栓クロットの発生を防ぐに必要な動作は、系にそっての突然の、そして、リズムをもつ連続する圧力波を足関節から始まり、膝迄に達する足関節と膝頭の間の下肢領域に作用させることである。この圧力波作用の結果、血液は、静脈潅流系をさかのぼり、膝を通って股間部に達し、ここで胴部の心臓血管系が再び血流に簡単に適合することで静脈潅流系を空にする。この作用は、人が動いているときには、下肢のふくらはぎ筋の作用の一部と似ている。このふくらはぎ筋は、人が立っていたり、歩いていたり、あるいは、直立状態で動作しているとき、出静脈潅流系に圧力を与え、下肢の血液循環を助けるようにする。
【０００５】
この発明の理解を助けるために、添付の図面を参照するもので、この参照例は、動ける状態で使用の操作者が腰ベルトに取り付けた電源をもつ、この発明の９ポータブル式の例を示す。
【０００６】
図１は、操作者が身に付けることができる完成品を示す。この完成品は、腰ベルトとバックル１を示している。電源２は、腰ベルト１に取り付けられた電源ハウジングに納めれている。空気供給ライン３が電源と左右の脚部スリーブ４とにつながっている。スリーブ締め付けストラップ５を用いて前記スリーブを使用者の脚部の形状に合わせる。
【０００７】
図２は、電源ハウジング・アッセンブリーを示し、これには、前記ハウジング内に必要な部品類が納めてある。スタート／ストップ制御スイッチ６で電源を望に応じて動作させる。再充電可能な直流電源パック７によりユニットに給電される。プリント回路制御ボード８が前記ユニットの必要な機能をコントロールする。小型コンプレッサは、９。空気供給ラインは、１０。二つの制御ソレノイドバルブ１１が左右の空気供給プラグ・アウトレット１２に接続している。
【０００８】
図３は、圧縮スリーブ４が実際に圧縮されたとき、圧縮スリーブ４の図示のようにふくらんだ部分１３の断面を示している。空気供給ライン３は、図２の電源ユニットの空気供給出口から前記スリーブアッセンブリーに配置の接続ボタン１５を介してスリーブアッセンブリーヘ圧縮空気を供給する。圧縮スリーブ１３が膨らむ方向は、矢印１６で示されている。
【０００９】
図４は、完全に空気が抜けた膨張部の断面を示す一方の脚部スリーブ４の断面を示す。
【００１０】
図５は、図４と同様の断面を示しているが、膨張部は、わずかに膨らんでいる。
【００１１】
図６は、一部が膨らんだ膨張部の断面を示す。この膨張部は、複数のコンパートメントに分かれていて、各コンパートメントは、複数の圧力チューブで互いに接続されている。これらのチューブで膨張作用がコントロールされ、最下位又は第１のセグメント１３−Ａが加圧されると、順々に次のセグメントが加圧されるようになっている。図６は、複数の膨張部コンパートメントの膨張の順番を示すもので、加圧ポイント“Ａ”において最下位のコンパートメントが図６に示すようにふくらむ。この圧力は、圧力ポイント“Ｂ”で示すコンパートメント１３−Ｂの圧力よりも高く、ついで順に圧力ポイント“Ｃ”で示すセグメント１３−Ｃの圧力よりも高いものである。この作用で、膨張部は下から順に連続して加圧される。
【００１２】
圧縮スリーブ４は、外側になるフレキシブルなケーシングのもので、非弾性マテリアルで作られ、膨張したり、萎むようになる膨張部を図３の矢印１６で示すようにスリーブの中央に向け、内方へ向け動くようにする。この装置を使用する人が快適に使用できるように、図示のような調節ストラップ５のセットがスリーブアッセンブリー４の前部に取付られていて、必要に応じ個々に調節できるようになっている。図４に示すように圧縮スリーブ４には、膨張したり、萎んだりする膨張部１３が内蔵され、これは一体に形成されていて、組み込まれている複数のコンパートメントは、膨張部の最下位部分から膨張部の上位部分にいたるまで途切れずに続く流れで順に膨らんで膨張部全体が完全に膨らむようになる状態で膨らむ。膨張体１３は、空気供給ライン３を介して小形の空気コンプレッサ９によりプリント回路制御ボード８で制御されるソレノイドバルブ１１を介して膨張される。
【００１３】
前記装置を装着して使用する際の作用を以下に記載する。
【００１４】
深部静脈を鼓動する脛当て装置は、人が動いたり、立っている状態におけるふくらはぎ筋の作用の一部に似ている。この作用は、心臓血管系を補助して、静脈潅流系を経ての血流を維持させ、これによって、血栓になり、これがさらにトロンビック血栓の形成の可能性を高めるようにする酸素量が少ない血液をたまらないようにする。これらの血栓は、生命を脅かし、死にいたらしめるおそれがある。
【００１５】
さて深部静脈鼓動装置を図１に示すように態様で装着すれば、前記装置を使用できるようになる。
【００１６】
前記ユニットを操作するには、腰ベルト１に連結の電源２に配置のスタートボタン６を押す。この動作で、直流電源７から回路の一部にタイマー１５が組み込まれているプリント回路制御ボード８へ電流をながれることで前記ユニットがパワーアップする。ついで前記タイマー１５が小形エアーコンプレッサ９を駆動し、空気ライン３を介して必要な空気圧力を供給し、脚部スリーブアッセンブリー４を膨張し、所定の圧力もつように膨張させるもので、前記圧力は、前記プリント回路ボード８に組み込まれた小形空気圧力調整器により制御される。またプリント回路ボード８により制御される間隔をおいて、二つのソレノイドバルブ１１が作動し、脚部スリーブアッセンブリー４内の空気を外部へ逃がして脚部スリーブ４内の圧力をなくす。この動作を装着者が必要とする時間にわたって反復させる。
【００１７】
図６は、脚部スリーブアッセンブリー４の一部として３つのコンポアートメント膨張部のみををもち、圧縮サイクルで始動する膨張部セクション１３の断面を示す。膨張部コンパートメントの実際の数は、各個人に必要な脚部アッッセンブリーのサイズによる。この図解は、脚部スリーブアッセンブリー４が加圧されだすと、膨張部１３が最下位のコンパートメントから上方へ順に膨らみ、全てのコンパートメントが完全に膨らむ。膨張部の第１のコンパートメント、即ち、図６のセグメント１３−Ａガ所望の設定の圧力に加圧されると、ついで次のセグメント１３−Ｂが相当する所望の設定圧力に達して膨らみ、ついで最終のセグメントが一杯に加圧する。この作用で脚部スリーブアッセンブリーが完全に膨らむまで、流れが連続して止まらずに流れる。
【００１８】
スリーブアッセンブリー１が膨張すると、完全に閉じ込められた圧力波が足から脚部を通り膝に達する脚部全体に直接に圧力を作用させるようになるもので、その圧力は、筋肉と組織を経て脚部の実際の中心部に届く。脚部スリーブアッセンブリー１全体は、完全に加圧されると、プリント回路ボード８のタイマー部１５の作用により萎みだすもので、これには前記タイマーが二つのソレノイドバルブ１１を動作し、前記脚部スリーブアッセブリー１内の圧縮空気を釈放し、外気へ逃がす。
【００１９】
このような作用により、脚部領域、即ち、足関節と膝の間の脚部領域に所望の効果が与えられる。この作用は、脚部における連続進行圧力波が脚部全体を覆うものとなるもので、足部から始まって脚部の筋肉と組織内にそって上方へ進んで膝に達し、これによって意識せずに圧力が静脈潅流系の主な動脈と静脈に直接作用することになる。したがって、静脈潅流系内の血液を脚部の上位部分、即ち、膝上に向け押し上げ、胴部の股間領域へ送り、胴部自体の心臓血管系により調節される。この作用は、左右の脚部交互において、連続動作でコンスタントなリズム運動で繰り返され、これによってディープ・ヴェイン・トロンボシス（深部静脈血栓症）として知られる病状の発生を防ぐ。
【００２０】
この特許出願に記載の本装置を着用することにより、この特許出願に規定のハーネスの作用で交互にリズミカルな連続進行の圧力波が生じて、これが下肢領域、即ち、足と膝の間の脚部領域に作用して、脚部の静脈潅流系の主な動脈と静脈内の血液をきれいにし、血栓かたまりが静脈潅流系内に発生して、一般に深部静脈血栓症又はＤ．Ｖ．Ｔ．といわれている急性症状になるような危険なレベルに血流が低下するのを防ぐ。
【図面の簡単な説明】
【００２１】
【図１】使用するために装着する状態のすべての部品の斜視図。
【図２】電源ハウジングと取り付けられた関連部品のフローチャート
【図３】スリーブが膨張した状態の圧縮スリーブの断面図で、前記スリーブの内側壁が中央に向けて膨らみ、下肢の筋肉領域を加圧している状態のもの。
【図４】パルスシーケンスの間の不動作状態において完全に萎んだ膨張部をもつ前記スリーブの断面を示すもの。
【図５】鼓動連続作動における膨張した膨張部をもつスリーブの断面を示すもの。
【図６】半ばふくらんだスリーブの膨張部の断面を示すもの。
【符号の説明】
【００２２】
１    腰ベルト
２    電源ハウジング
３    空気供給ライン
４    左右の脚部スリーブ
５    スリーブ締め付けストラップ
【国際調査報告】
2007502177.tif 000009
2007502177.tif 000010
2007502177.tif 000011
2007502177.tif 000012